(57)【要約】【課題】限られた資源を有効に利用する。環境を出来るだけ破壊しないように生活する。現代の生活者に受け入れやすいことを提案する。これらの課題のために台所の調理の後始末を効率よくしながら　油物や　レンジの汚れ　カレーの残りなども手軽に掬い取るへらを提供する。外箱やラップの芯など　一度使い終わった材料を使い　資源を有効利用する。【解決手段】箱状、筒状などの容器又は箱又は筒状物の表面の一部に切り込み線をいれこの切り込み線で分離することにより、二次的利用が出来る容器、箱、筒状物。上記の二次的利用の為に分離した容器又は箱又は筒状物は、入り口とその後方に貯留部とがあり、物質を内部に蓄えることができることを特徴とする容器又は箱又は筒状物。【選択図】　　図１
2004075141.tif 000002
【特許請求の範囲】
【請求項１】
表面に切り込み線を設けた容器、箱又は筒状物
【請求項２】
箱状、筒状などの容器　又は容器以外の箱又は筒状物の表面の一部に切り込み線を入れ　この切り込み線で分離することにより、二次的利用が出来る容器、箱、筒状物。
【請求項３】
上記の二次的利用の為に分離した容器又は箱又は筒状物が、へらであることを特徴とする請求項２記載の容器又は箱又は筒状物。
【請求項４】
二次的利用の為に分離した容器又は箱又は筒状物が貯留部を有し、中に蓄えることのできるへらができることを特徴とする請求項２記載の容器又は箱又は筒状物。
【発明の詳細な説明】
【０００１】
【発明が属する技術分野】
本発明は、液体、又は粘りのある液体や　固体などを掬い取る道具に出来るものである。包装に使用されている外箱や　ラップの芯など使い終わって捨てるだけのものに　切り込み線を入れておき　簡単に形を変えてへらを作ることが出来　さらに再利用できる。
【０００２】
【従来の技術】
包装に使用されている外箱や　アルミホイルやラップの芯　トイレットペーパーの芯など使い終わると捨てるだけになってしまう。限られた資源を無駄に使っている。一方では、ゴム製のへらやキッチンペーパーなどで食器や鍋、フライパン等の汚れを拭き取ろうとしても、液体や粘りのある液体、量のある固体などは一度にきれいに掬い取りにくく、ごみ袋等に移動させることが容易ではなく、こぼれ易い。キッチンペーパーでは、何枚も必要となる。つい面倒になって洗剤を使ってそのまま流してしまいがちである。
【０００３】
【発明が解決しようとする課題】
地球環境の為に　資源を有効に利用し　家庭用排水の汚れを減らすことである。捨てるだけになった箱や芯を使い　食器や鍋、フライパン等を洗う前に、手を汚さず　きれいに汚れを掬い取り　排水に流すものを減らすことを目的とする。配管の汚れも減らしたい。また燃える素材で作れば、そのままゴミ袋に捨てることもできるので手軽であり、また食器や鍋、フライパンなども洗いやすくなり洗剤も減らすことが可能になる。食器洗い機に入れる前に簡単に汚れを落としたい。面倒くさがる人や手が荒れることを嫌う人やネイルを気にする女性に使い易くして提供することが問題である。
【０００４】
【課題を解決するための手段】
箱状、筒状などの容器又は箱又は筒状物の表面の一部に切り込み線をいれこの切り込み線で分離することにより、二次的利用が出来る容器、箱、筒状物を提供する。上記の物の例として内側に内容物を蓄えられるへらができる。身近にある容器や箱や筒状物から簡単に作れる。このへらで　食器や鍋やフライパンの汚れを掬い取ることが簡単にできる。こびりついた汚れもこそげ取ることが出来　そのまま内側に蓄えることができるので　一個のへらで容易に汚れを集めることができ　手を汚すこともない。燃える素材の場合は　そのまま捨てることができる。予めへらを用意していなくても　ラップの芯や　料理のときに出る容器や外箱が
へらに変えられることが　消費者の地球環境への意識を高めることとなる。
【０００５】
【発明の実施の形態】
本発明は食器や鍋　フライパンから液体などを掬い取り易い形で使い易く、ある程度の量を蓄えることができる形状をしている。流れ出し易い液体や粘度の高い液体　細かい固体などを貯留部に蓄えられる。物質の量が多いときでも何度でも掬いとれる強度がある。素材の強度があるのでこびりついた物でもこそげ取ることができる。紙製で作ればそのまま燃えるごみに出せる。紙の柔らかさと湾曲部の形状で、鍋やフライパンの丸みに密着し　きれいに掬いとれる。
底は　あってもなくても利用できる。
【０００６】
【実施例】
図１は、本発明の実施例を示す。以下、添付図面に従って実施例を説明する。１は四角筒の箱である。２は点線の切り込みであり　切り口の頂点ｍ，ｎ，ｏ，ｐを結べば長方形又は正方形になる。辺ｍ、ｐは上底の側面の１辺ａに平行であり、辺ｂとは垂直に交わる。同様に辺ｎ、ｏは下底の辺ｆに平行であり、辺ｅとは垂直に交わる。辺ｏ，ｐは辺ｅ並びに辺ｂとはαの角度で交わっている。辺ｍ、ｎは辺ｈ並びに辺ｉとはαの角度で交わっている。辺ｂ＝ｂ１＋ｂ２　、辺ｅ＝ｅ１＋ｅ２　となり図１の四角筒は辺ｍ，ｎ，ｏ，ｐによりＡとＢに分かれる。図２の（ａ）と（ｂ）は図１の四角筒を２個に分離しＡとＢに分けた図である。Ａの辺ｍ、ｐの所と　Ｂの辺ｎ，ｏの所が入り口になる。その後方は貯留部となり　おおよそ貯留部辺りを把持部とする。
【０００７】
図３において　１は四角筒の箱である。３は点線の切り込みであり　切り口の頂点ｑ，ｒ，ｓ，ｔを結べば平行四辺形になる。辺ｑ，ｔは四角筒の辺ｇとはβの角度で　また辺ｔ，ｓは四角筒の辺ｈとはαの角度で交わっている。αとβは９０度又は鋭角である。辺ｇ＝ｇ１＋ｇ２，辺ｈ＝ｈ１＋ｈ２となり図４の四角筒は平行四辺形ｑ，ｒ，ｓ，ｔによりＣとＤに分けられる。図４の（ａ）と（ｂ）は図３の四角筒を２個に分離しＣとＤに分けた図である。　Ｃの辺ｑ、ｔの所と　Ｄの辺ｓ、ｒの所が入り口になる。その後方は貯留部となりおおよそ貯留部辺りを把持部とする。
【０００８】
図５は円筒である。Ｗ，Ｘ，Ｙ，Ｚは円筒の底面上の点で底面の円周を四等分する点であり反対側の底面で対応する点をｗ，ｘ，ｙ，ｚとする。辺Ｘ、ｘの二等分点をＬとし辺Ｚ、ｚの二等分点をｌとする。切り込み線は、辺Ｌ、，Ｘ上の点Ｋから側面上の直線Ｙ、ｙに向かってはほぼ垂直に辺Ｙ、ｙ上に伸ばし　点Ｖで交わる。点Ｖから直線Ｙ、ｙ上をすすみ円筒の側面の中心線Ｌ，，Ｍ，ｌ，Ｎと交わった点で　点Ｍにおいての点Ｖと対称となる点ｖをきめ、点ｖより線Ｚ，
ｚ上で点Ｍにおいての点Ｋの対称の点ｋに向かって点線をひく。点Ｋ、点Ｖ、点ｖ，　点ｋを面Ｘ，Ｚ，ｚ，ｘに対称にとった点Ｋ、Ｊ，ｊ，ｋをつなぎ、切り込み線をいれる。切り込み線で分割した場合　線ｖ、ｋ、ｊと線Ｖ、Ｋ、Ｊは　ほぼ半円形で先端の入り口となる。後部に円筒の上部を欠いた略半円形状の貯留部１０ができる。分割しても点Ｘ、Ｋを含む円筒の部分と点ｋ、ｚを含む円筒の部分を円筒のまま残し把持部とするが、そこがある為にへらの強度が保たれる。
【０００９】
図６は図５の円筒の側面図である。円筒の側面上の点Ｋより直線Ｙ，　ｙに垂直に下ろした線が交わる点をＦとする。直角三角形Ｋ、Ｆ、Ｍの線Ｆ，　Ｍ上で点Ｖを決める。点Ｖの付近の線Ｋ、Ｖ，、Ｍは直角でも湾曲していてもよい。対応する線Ｍ，、ｖ、ｋも同様に直角でも湾曲していてもよい。
【００１０】
図７は図５において点Ｖが点Ｍと重なったときにできる切り込み線８を入れた図である。
【００１１】
図８はきりこみ線８が点Ｘと点ｚを通る場合の図である。円筒を斜めに対角線で切り込みを入れたことになる。
【００１２】
図９は点Ｙ，、ｙ、ｗ、Ｗを含む面で円筒に切り込み線８をいれた図である。
【００１３】
図１０は円筒の点Ｗ，　Ｘ，　Ｙ，　Ｚを含む底面に　平行にきりこみ線を３本入れた図であるが、きりこみ線は円筒の長さにより何本入れてもよい。
【００１４】
図５、図７、図８、図９、図１０、の実施例は円筒状の場合であるが　円筒状に限定されず　だ円筒　三角筒　四角筒　五角筒　六角筒などであってもよい。
【００１５】
図１１は図５で入れた切り込み線で分離してできたへらである。同じ物が２個できる。
【００１６】
図１２のように円筒、だ円筒、角筒などに厚みがある場合は、入り口に物体が入り易いようにするために　斜めにカットをいれる。
【００１７】
上記のすべての筒に用途により　底があってもよい。
【発明の効果】
使い終わった外箱や　ラップの芯などを切り込み線で分割することにより始めとは　違った形状にして利用し　資源を有効利用する。へらにして使えば　食器　鍋　フライパンなどから　ほとんどの汚れを掬い取ることが簡単にできる。環境を考える人は勿論、面倒くさがりの人や　忙しい主婦　爪を伸ばしているＯＬ　手あれの気になる人にも簡単に使える。水や洗剤の使用量も減らすことができる。配管の汚れ具合にも大きな違いがでる。
【図面の簡単な説明】
【図１】切り込み線をいれた箱の斜視図である。
【図２】（ａ）は箱を切り込み線で切り離してできたＡの斜視図である。
（ｂ）は箱を切り込み線で切り離してできたＢの斜視図である。
【図３】切り込み線をいれた箱の斜視図で図１とは違った入れ方で切り込みをいれた例である。
【図４】（ａ）は箱を切り込み線で切り離してできたＣの斜視図である。
（ｂ）は箱を切り込み線で切り離してできたＤの斜視図である。
【図５】切り込み線をいれた円筒の斜視図であり　切り込み線で分割すれば　図１１の形のへらが２個出来る。
【図６】図５の切り込みを入れた円筒の側面図である。
【図７】切り込み線８をいれた円筒の斜視図である。
【図８】切り込み線８をいれた円筒の斜視図である
【図９】切り込み線８をいれた円筒の斜視図である
【図１０】切り込み線８をいれた円筒の斜視図である
【図１１】図５の円筒を切り込み線で分けてできたへらの斜視図である。
【図１２】厚みがある場合で　斜めにカットが入れてあるへらの斜視図である。
【符号の説明】
１　　　四角筒
２　　　切り込み線
３　　　切り込み線
４　　　円筒
５　　　湾曲部
６　　　把持部
７　　　底
８　　　切り込み線
９　　　入り口
１０　　貯留部
１１　　斜めのカット
ａ　　　箱の辺
ｂ　　　箱の辺
ｃ　　　箱の辺
ｄ　　　箱の辺
ｅ　　　箱の辺
ｆ　　　箱の辺
ｇ　　　箱の辺
ｈ　　　箱の辺
ｉ　　　箱の辺
ｍ，ｎ，ｏ，ｐ　　切り込み線
ｑ，ｒ，ｓ，ｔ　　切り込み線
Ａ　　　貯留部があるへら
Ｂ　　　貯留部があるへら
Ｃ　　　貯留部があるへら
Ｄ　　　貯留部があるへら
Ｊ、Ｋ、Ｖ、ｖ、ｋ、ｊ　　切り込み線
Ｌ　　　円筒の側面の高さを二等分する中間点
Ｍ　　　円筒の側面の高さを二等分する中間点
Ｎ　　　円筒の側面の高さを二等分する中間点
ｌ　　　円筒の側面の高さを二等分する中間点
Ｗ　　　円筒の底面の点
Ｘ　　　円筒の底面の点
Ｙ　　　円筒の底面の点
Ｚ　　　円筒の底面の点
ｗ　　　円筒の底面の点
ｘ　　　円筒の底面の点
ｙ　　　円筒の底面の点
ｚ　　　円筒の底面の点
α　　　直角又は鋭角
β　　　直角又は鋭角
【図１】
2004075141.tif 000003
【図２】
2004075141.tif 000004
【図３】
2004075141.tif 000005
【図４】
2004075141.tif 000006
【図５】
2004075141.tif 000007
【図６】
2004075141.tif 000008
【図７】
2004075141.tif 000009
【図８】
2004075141.tif 000010
【図９】
2004075141.tif 000011
【図１０】
2004075141.tif 000012
【図１１】
2004075141.tif 000013
【図１２】
2004075141.tif 000014